(57)【要約】【課題】ケーブルが通される貫通孔を具備する構成において防水性を向上させる。【解決手段】天面板の外周に沿って外壁が設けられてなる上ケース部材１０と、底面板の外周に沿って側壁が設けられてなる下ケース部材２０とが、外壁の内側の面に側壁の外側の面が対向するように重ね合わされることで構成され、外壁及び側壁のそれぞれは、上ケース部材１０と下ケース部材２０とが重ね合わされることで、ケーブルが通される貫通孔３１を構成するケーブル用溝１７，２３を具備し、側壁は、ケーブル用溝２３に重なる領域に略Ｖ字型の切欠部２４を具備し、ケーブルが通される孔部６１を具備し、底辺が天面板に対向し、２つの等辺が切欠部２４の略Ｖ字型を構成する二辺に対向するようにして、孔部６１が貫通孔３１と重なって配置される略三角形状のパッキン板６０を有する。【選択図】図４
2018120984.tif 000002
【特許請求の範囲】
【請求項１】
第１の平面部の外周に沿って第１の壁部が設けられてなる第１のケース部材と、第２の平面部の外周に沿って第２の壁部が設けられてなる第２のケース部材とが、前記第１の壁部の内側の面に前記第２の壁部の外側の面が対向するように重ね合わされることで構成される防水ケースであって、
前記第１及び第２の壁部のそれぞれは、第１のケース部材と第２のケース部材とが重ね合わされることで、ケーブルが通される貫通孔を構成するケーブル用溝を具備し、
前記第２の壁部は、前記ケーブル用溝に重なる領域に略Ｖ字型の切欠部を具備し、
さらに、
前記ケーブルが通される孔部を具備し、一辺が前記第１の平面部に対向し、他の二辺が前記切欠部の略Ｖ字型を構成する二辺に対向するようにして、前記孔部が前記貫通孔と重なって配置される略三角形状のパッキン板を有する、防水ケース。
【請求項２】
請求項１に記載の防水ケースにおいて、
前記第１の平面上における前記第１の壁部の内側の領域に、該第１の壁部に沿ってパッキンが嵌め込まれている、防水ケース。
【請求項３】
請求項１または請求項２に記載の防水ケースにおいて、
前記第１のケース部材は、前記第１の平面上の前記第１の壁部よりも所定幅だけ内側の領域に、該第１の壁部に沿って設けられた第３の壁部を有し、
前記第２の壁部及び前記パッキン板が、前記第１の壁部と前記第３の壁部との間に形成された勘合用溝に嵌め込まれている、防水ケース。
【発明の詳細な説明】
【技術分野】
【０００１】
本発明は、ケーブルが通される貫通孔を具備する防水ケースに関する。
【背景技術】
【０００２】
一般に電子機器は、基板上に、多数の回路素子が搭載されるとともに、これらを接続するための配線が形成されて構成されており、そのため、防水性が要求されるものが多い。一方、近年、電子機器は、多様化に伴って様々な環境で使用されるようになっており、水滴等が付着する虞がある環境下での使用も想定される。そこで、電子機器を水滴等から保護するために、防水性を有するケースに電子機器を収容して利用する場合がある。
【０００３】
ところで、上述したように電子機器をケースに収容して使用する場合、ケースに貫通孔を形成してこの貫通孔にケーブルを通すことで、ケーブルを介して電子機器と外部とのインタフェースを確保することが行われている。ところが、ケーブルを通すための貫通孔を設けた場合、その貫通孔を介してケース内に水分が侵入してくる虞がある。そのため、貫通孔の近傍に、ケーブルが通される孔部を有するパッキンを配置し、防水性を確保することが行われている（例えば、特許文献１参照）。
【０００４】
図７は、ケーブルが通される貫通孔を具備する防水ケースの一例を示す図であり、（ａ）は外観斜視図、（ｂ）は（ａ）に示した貫通孔１３１の近傍に取り付けられるパッキン板の一例を示す図である。
【０００５】
ケーブルが通される貫通孔を具備する防水ケースとしては、図７（ａ）に示すように、上ケース部材１１０と下ケース部材１２０とがその周縁部にて勘合し、それにより、ケーブルが通される貫通孔１３１が構成される防水ケース１０１が考えられる。そして、防水ケース１０１の内部には、図７（ｂ）に示すようにケーブルが通される孔部１６１を有するパッキン板１６０が、孔部１６１が貫通孔１３１と重なるように取り付けられている。パッキン板１６０は、上ケース部材１１０の周縁部と下ケース部材１２０の周縁部との間に挟み込まれることで防水ケース１０１に固定されることになるが、一般に、その外径が円形または図７（ｂ）に示すようなかまぼこ型のものとなっている。
【０００６】
このように構成された防水ケース１０１においては、貫通孔１３１にケーブルが通されることで、防水ケース１０１内に収容された電子機器と外部とのインタフェースがケーブルを介して確保されることになるが、パッキン板１６０の孔部１６１の径を、ケーブルの径以下とすることで、ケーブルが通される貫通孔１３１を具備する構成においても、専用のコネクタ等を用いることなく防水性を確保することができるようになる。
【先行技術文献】
【特許文献】
【０００７】
【特許文献１】特開２０１３−１６８２８２号公報
【発明の概要】
【発明が解決しようとする課題】
【０００８】
図８は、図７に示したパッキン板１６０によって生じる問題点を説明するための図である。
【０００９】
図７に示したパッキン板１６０のように、その外径がかまぼこ型である場合、上ケース部材１１０の周縁部と下ケース部材１２０の周縁部との間に挟み込まれた際に、これら上ケース部材１１０と下ケース部材１２０とによって上下から一定の圧力が加わることになるものの、図８（ａ）に示すように横方向からは圧力が加わらない。そのため、図８（ｂ）に示すように、ケーブルを通すための孔部１６１が楕円状となって横方向に広がり、広がった部分から水分が防水ケース１０１内に侵入してしまうという問題点がある。このような問題点は、パッキン板がかまぼこ型であるものに限らず、円形のものにおいても生じ、さらには、矩形型のものであっても、上ケース部材１１０と下ケース部材１２０を結ぶ方向に延びる辺に対しては、横方向から力が加わらないため同様に生じるものである。
【００１０】
また、かまぼこ型や円形のものは、上ケース部材１１０の周縁部と下ケース部材１２０の周縁部との間に挟み込まれた際に、曲線となる部分においては、上ケース部材１１０及び下ケース部材１２０の周縁部との接触面積が小さいことで、十分な防水効果を得ることができないという問題点がある。
【００１１】
本発明は、上述したような従来の技術が有する問題点に鑑みてなされたものであって、ケーブルが通される貫通孔を具備する構成において防水性を向上させることができる防水ケースを提供することを目的とする。
【課題を解決するための手段】
【００１２】
上記目的を達成するために本発明は、
第１の平面部の外周に沿って第１の壁部が設けられてなる第１のケース部材と、第２の平面部の外周に沿って第２の壁部が設けられてなる第２のケース部材とが、前記第１の壁部の内側の面に前記第２の壁部の外側の面が対向するように重ね合わされることで構成される防水ケースであって、
前記第１及び第２の壁部のそれぞれは、第１のケース部材と第２のケース部材とが重ね合わされることで、ケーブルが通される貫通孔を構成するケーブル用溝を具備し、
前記第２の壁部は、前記ケーブル用溝に重なる領域に略Ｖ字型の切欠部を具備し、
さらに、
前記ケーブルが通される孔部を具備し、一辺が前記第１の平面部に対向し、他の二辺が前記切欠部の略Ｖ字型を構成する二辺に対向するようにして、前記孔部が前記貫通孔と重なって配置される略三角形状のパッキン板を有する。
【００１３】
上記のように構成された本発明においては、第１のケース部材と第２のケース部材とが重ね合わされ、貫通孔にケーブルが通されることで、パッキン板によって貫通孔の防水性が確保されることになる。その際、第２のケース部材の第２の壁部のうち、貫通孔を構成するケーブル用溝に重なる領域に略Ｖ字型の切欠部が設けられ、パッキン板が、一辺が第１のケース部材の第１の平面部に対向し、他の二辺が切欠部の略Ｖ字型を構成する二辺に対向するようにして配置される略三角形状であるため、パッキン板がその全周にて第１のケース部材と第２のケース部材とのいずれかと接触することとなり、かつ、パッキン板が第１のケース部材と第２のケース部材との間に挟み込まれることでこれら第１のケース部材と第２のケース部材とによって上下から加わった圧力が、パッキン板の全周から加わることになり、それにより、パッキン板の孔部が一方向に広がることがなくなり、防水性が損なわれることが回避される。
【００１４】
また、第１の平面上における第１の壁部の内側の領域に、第１の壁部に沿ってパッキンが嵌め込まれていれば、第１のケース部材と第２のケース部材との間における防水性も向上することになる。
【００１５】
また、第１のケース部材が、第１の平面上の第１の壁部よりも所定幅だけ内側の領域に、第１の壁部に沿って設けられた第３の壁部を有し、第２の壁部及びパッキン板が、第１の壁部と第３の壁部との間に形成された勘合用溝に嵌め込まれていれば、パッキン板が勘合用溝によって固定されることになる。
【発明の効果】
【００１６】
本発明によれば、パッキン板がその全周にて第１のケース部材と第２のケース部材とのいずれかと接触することとなり、かつ、パッキン板が第１のケース部材と第２のケース部材との間に挟み込まれることでこれら第１のケース部材と第２のケース部材とによって上下から加わった圧力が、パッキン板の全周から加わることになり、それにより、パッキン板の孔部が一方向に広がることがなくなり、ケーブルが通される貫通孔を具備する構成において防水性を向上させることができる。
【００１７】
また、第１の平面上における第１の壁部の内側の領域に、第１の壁部に沿ってパッキンが嵌め込まれているものにおいては、第１のケース部材と第２のケース部材との間における防水性も向上させるころができる。
【００１８】
また、第１のケース部材が、第１の平面上の第１の壁部よりも所定幅だけ内側の領域に、第１の壁部に沿って設けられた第３の壁部を有し、第２の壁部及びパッキン板が、第１の壁部と第３の壁部との間に形成された勘合用溝に嵌め込まれているものにおいては、パッキン板を勘合用溝によって固定することができる。
【図面の簡単な説明】
【００１９】
【図１】本発明の防水ケースの実施の一形態を示す図であり、（ａ）は外観斜視図、（ｂ）は（ａ）に示したＡ−Ａ’断面図、（ｃ）は（ａ）に示した矢印Ｂ方向から見た図である。
【図２】図１に示した上ケース部材の構成を示す図であり、（ａ）は下ケース部材側から見た図、（ｂ）は（ａ）に示したＡ−Ａ’断面図、（ｃ）は（ａ）に示した矢印Ｂ方向から見た図である。
【図３】図１に示した下ケース部材の構成を示す図であり、（ａ）は上ケース部材側から見た図、（ｂ）は（ａ）に示したＡ−Ａ’断面図、（ｃ）は（ａ）に示した矢印Ｂ方向から見た図である。
【図４】図１〜図３に示した防水ケースにおける貫通孔の防水性を確保するための構成を説明するための図であり、（ａ）は防水性を確保するために用いられるパッキン板の構成を示す図、（ｂ），（ｃ）は（ａ）に示したパッキン板の取り付け方を説明するための図である。
【図５】図１〜図３に示した防水ケースの実際の使用状態を示す外観斜視図である。
【図６】図４に示したパッキン板の形状による効果を説明するための図である。
【図７】ケーブルが通される貫通孔を具備する防水ケースの一例を示す図であり、（ａ）は外観斜視図、（ｂ）は（ａ）に示した貫通孔の近傍に取り付けられるパッキン板の一例を示す図である。
【図８】図７に示したパッキン板によって生じる問題点を説明するための図である。
【発明を実施するための形態】
【００２０】
以下に、本発明の実施の形態について図面を参照して説明する。
【００２１】
図１は、本発明の防水ケースの実施の一形態を示す図であり、（ａ）は外観斜視図、（ｂ）は（ａ）に示したＡ−Ａ’断面図、（ｃ）は（ａ）に示した矢印Ｂ方向から見た図である。図２は、図１に示した上ケース部材１０の構成を示す図であり、（ａ）は下ケース部材２０側から見た図、（ｂ）は（ａ）に示したＡ−Ａ’断面図、（ｃ）は（ａ）に示した矢印Ｂ方向から見た図である。図３は、図１に示した下ケース部材２０の構成を示す図であり、（ａ）は上ケース部材１０側から見た図、（ｂ）は（ａ）に示したＡ−Ａ’断面図、（ｃ）は（ａ）に示した矢印Ｂ方向から見た図である。
【００２２】
本形態における防水ケースは図１に示すように、第１のケース部材となる上ケース部材１０と、第２のケース部材となる下ケース部材２０とがその周縁部にて互いに勘合することで構成されている。そして、上ケース部材１０と下ケース部材２０とで挟まれた空間が、電子機器等が収容される収容部５０となっている。
【００２３】
上ケース部材１０は図２に示すように、角部に丸みを帯びた略長方形の第１の平面部となる天面板１１の外周に沿って、下ケース部材２０と勘合する面側に第１の壁部となる外壁１３が起立してなる半ケース状のものである。天面板１１上の外壁１３の所定幅だけ内側の領域には、外壁１３に沿って第３の壁部となる内壁１４が配置されており、外壁１３と内壁１４との間に、下ケース部材２０が勘合するための勘合用溝１５が形成されている。内壁１４は、天面板１１からの高さが外壁１３よりも高くなっている。外壁１３は、下ケース部材２０と勘合する面とは反対側の面側にも若干突出しており、この突出した部分に囲まれた領域が凹部１１ａとなっている。上ケース部材１０は、外壁１３の一部に外部に突出した半円柱状の突起部１６が設けられており、この突起部１６内に、上ケース部材１０と下ケース部材２０とが勘合することで、ケーブルが通されるための貫通孔を構成するためのケーブル用溝１７が設けられている。ケーブル用溝１７は、突起部１６及び外壁１３が半円状に切り欠かれるとともに、内壁１４が、外壁１３に合わせた形状に切り欠かれることで形成されている。天面板１１には、上ケース部材１０を下ケース部材２０に固定するためのビスが通される４つの孔部１２が設けられている。
【００２４】
下ケース部材２０は図３に示すように、角部に丸みを帯びた略長方形の第２の平面部となる底面板２１の外周に沿って、上ケース部材１０と勘合する面側に第２の壁部となる側壁２５が起立してなる半ケース状のものである。側壁２５は、底面板２１から一定の高さよりも高い部分が、肉薄の勘合部２５ａとなっている。勘合部２５ａは、側壁２５の他の領域に対して、防水ケース１の外周面側が削られたようにして肉薄となっており、それにより、上ケース部材１０と下ケース部材２０とをその外形が重なるように重ね合わせた場合に、側壁２５の外側の面が外壁１３の内側の面に対向するようにして、上ケース部材１０の勘合用溝１５に勘合部２５ａが勘合する。下ケース部材２０は、側壁２５の一部に外部に突出した半円柱状の突起部２２が設けられており、この突起部２２内に、上ケース部材１０と下ケース部材２０とが勘合することで、ケーブルが通されるための貫通孔を構成するためのケーブル用溝２３が設けられている。ケーブル用溝２３は、突起部２２及び側壁２５が半円状に切り欠かれることで形成されている。さらに側壁２５には、ケーブル用溝２３に重なる領域に、後述するパッキン板の形状に、角部に丸みを帯びた略Ｖ字型に切り欠かれることで切欠部２４が設けられている。底面板２１には、下ケース部材２０を上ケース部材１０に固定するためのビスが通される４つの孔部２６が設けられている。
【００２５】
上記のように構成された上ケース部材１０と下ケース部材２０とが、その外形が重なるように重ね合わされることで、下ケース部材２０の側壁２５の勘合部２５ａが上ケース部材１０の勘合用溝１５に勘合し、それにより、上ケース部材１０と下ケース部材２０とが重ね合わされてなる防水ケース１が構成されることになる。そして、防水ケース１には、上ケース部材１０の突起部１６と下ケース部材２０の突起部２２とが重なることによって円柱状の突起部３０が形成され、この突起部３０内に、上ケース部材１０のケーブル用溝１７と下ケース部材２０のケーブル用溝２３とが対向することによって、ケーブルが通される貫通孔３１が形成されることになる。また、上ケース部材１０の勘合用溝１５には、図１（ｂ）に示すように、勘合用溝１５の全周に亘ってゴムやシリコン等からなるパッキン４０が嵌め込まれており、このパッキン４０に下ケース部材２０の勘合部２５ａの端部が当接することにより、貫通孔３１以外の領域における上ケース部材１０と下ケース部材２０との防水性が確保されている。
【００２６】
以下に、貫通孔３１の防水性を確保するための構成について説明する。
【００２７】
図４は、図１〜図３に示した防水ケース１における貫通孔３１の防水性を確保するための構成を説明するための図であり、（ａ）は防水性を確保するために用いられるパッキン板の構成を示す図、（ｂ），（ｃ）は（ａ）に示したパッキン板６０の取り付け方を説明するための図である。
【００２８】
図１〜図３に示した防水ケース１における貫通孔３１の防水性を確保するために、図４（ａ）に示すようなパッキン板６０を用いる。パッキン板６０は、ゴムやシリコン等からなり、頂角が丸みを帯びた略二等辺三角形の形状を有するものであり、中央部分に、ケーブルが通される孔部６１が設けられて構成されている。なお、孔部６１の径は、孔部６１に通されるケーブルの径以下とする必要がある。
【００２９】
このように構成されたパッキン板６０が、図４（ｂ）に示すように、上ケース部材１０及び下ケース部材２０のそれぞれに設けられた突起部１６，２２に対向する領域において、頂角が下ケース部材２０側となって切欠部２４に対向するように配置され、上ケース部材１０の勘合用溝１５と、下ケース部材１０の勘合部２５ａとの間に挟み込まれていく。この際、勘合部２５ａにおいては、ケーブル用溝２３に重なる領域に、パッキン板６０の形状に略Ｖ字型に切り欠かれることで切欠部２４が設けられているため、パッキン板６０は、底辺が勘合用溝１５内にて天面板１１に対向し、２つの等辺が切欠部２４の略Ｖ字型を構成する二辺に対向するようにして、上ケース部材１０の勘合用溝１５と、下ケース部材１０の勘合部２５ａとの間に挟み込まれていく。
【００３０】
すると、図４（ｃ）に示すように、パッキン板６０が勘合用溝１５に嵌め込まれ、下ケース部材２０の勘合部２５ａの端部と、パッキン板６０の底辺とのそれぞれが、勘合用溝１５に嵌め込まれたパッキン４０と当接するとともに、パッキン板６０の２つの等辺のそれぞれが、切欠部２４によって切り欠かれた勘合部２５ａの略Ｖ字型を構成する二辺に当接し、パッキン板６０が、勘合用溝１５に嵌め込まれたパッキン４０と、切欠部２４によって切り欠かれた勘合部２５ａの端部との間に挟み込まれた状態となる。また、上ケース部材１０の突起部１６と下ケース部材２０の突起部２２とが重ね合わされることで突起部３０が形成され、この突起部３０内に、上ケース部材１０のケーブル用溝１７と下ケース部材２０のケーブル用溝２３とによって、ケーブルが通される貫通孔３１が設けられることになるが、パッキン板６０が、勘合用溝１５に嵌め込まれたパッキン４０と、切欠部２４によって切り欠かれた勘合部２５ａの端部との間に挟み込まれた状態となると、パッキン板６０の孔部６１が貫通孔３１と重なった状態となる。
【００３１】
このようにして、下ケース部材２０の側壁２５の勘合部２５ａを上ケース部材１０の勘合用溝１５に勘合させることで防水ケース１を構成する際に、貫通孔３１が設けられる領域において、パッキン板６０を、勘合用溝１５に嵌め込まれたパッキン４０と、切欠部２４によって切り欠かれた勘合部２５ａの端部との間に挟み込むことにより、パッキン板６０がその全周にて上ケース部材１０と下ケース部材２０とのいずれかと接触した状態とし、その状態において、パッキン板６０の孔部６１を、ケーブルが通される貫通孔３１と重ならせ、貫通孔３１にケーブルを通すことで、パッキン板６０によって貫通孔３１の防水性が確保されることになる。また、パッキン板６０がパッキン４０と当接するのではなく、勘合用溝１５内にて天面板１１と直接当接する構成においても防水性は確保されることになるが、パッキン板６０がパッキン４０と当接する構成とした方が、防水性がより向上する。これは、貫通孔３１以外の領域においても同様に言えるものである。すなわち、勘合部２５ａの端部が勘合用溝１５内にて天面板１１と直接当接する構成としても、貫通孔３１以外の領域における上ケース部材１０と下ケース部材２０との防水性がある程度は確保されるが、勘合用溝１５の全周に亘ってパッキン４０が嵌め込まれていることで、上ケース部材１０と下ケース部材２０との間における防水性がより向上することになる。
【００３２】
図５は、図１〜図３に示した防水ケース１の実際の使用状態を示す外観斜視図である。
【００３３】
図１〜図３に示した防水ケース１は、実際には、まず、上ケース部材１０と下ケース部材２０とが勘合していない状態において、ケーブル７０が接続された電子機器を収容部５０に収容する。その際、電子機器の基板に設けられた固定用の４つの切り欠き（不図示）が、底面板２１に設けられた４つの孔部２６をそれぞれ囲むようにする。また、ケーブル７０には、パッキン板６０及び図５に示すようなキャップ７１が取り付けられている。ケーブル７０は、パッキン板６０の孔部６１に通されることでパッキン板６０が取り付けられている。
【００３４】
次に、上述したように、パッキン板６０が、勘合用溝１５に嵌め込まれたパッキン４０と、切欠部２４によって切り欠かれた勘合部２５ａの端部との間に挟み込まれた状態となるようにして、上ケース部材１０と下ケース部材２０とを重ね合わせ、上ケース部材１０の勘合用溝１５に下ケース部材２０の勘合部２５ａを勘合させる。
【００３５】
そして、上ケース部材１０の天面板１１に設けられた４つの孔部１２と、下ケース部材２０の底面板２１に設けられた４つの孔部２６にビスを通すことで、収容部５０に収容された電気機器を固定するとともに、上ケース部材１０と下ケース部材２０とを固定する。なお、上ケース部材１０の孔部１２内にビス受け部を設け、下ケース部材２０の孔部２６側からビスを通し、上ケース部材１０と下ケース部材２０とをビス留めしてもよい。その際、ビス受け部に円形のパッキンを嵌め込む構成とすれば、ビス受け部の防水性も向上することとなる。
【００３６】
その後、図５に示すように、上ケース部材１０の突起部１６と下ケース部材２０の突起部２２とが重ね合わされることで形成された突起部３０をキャップ７１で覆う。突起部３０は、上ケース部材１０の突起部１６と下ケース部材２０の突起部２２とが重ね合わされることで形成されるため、そのままではケーブル７０の引き出し口となる貫通孔３１が開いてしまうこととなるが、突起部３０がキャップ７１によって覆われることで、ケーブル７０が通された貫通孔３１が開いてしまうことが回避される。また、突起部３０がキャップ７１によって覆われることによっても、上ケース部材１０と下ケース部材２０とが固定されることになる。
【００３７】
また、上ケース部材１０の凹部１１ａには、表面板１８が嵌め込まれる。表面板１８は、例えば、電子機器の用途に関する情報を表示したものや、電子機器が表示部を有するものである場合、一部が透明な材料から構成され、表示部の表示を視認可能とするもの等が考えられる。この表示板１８は、上ケース部材１０と下ケース部材２０とを固定するために孔部１２，２６を通されたビスを隠す役割も果たすことになる。
【００３８】
以下に、パッキン板６０の形状による効果について説明する。
【００３９】
図６は、図４に示したパッキン板６０の形状による効果を説明するための図である。
【００４０】
上述したように、本形態におけるパッキン板６０は、略二等辺三角形の形状を有し、底辺が上ケース部材１０の天面板１１に対向し、２つの等辺が切欠部２４の略Ｖ字型を構成する二辺に対向するようにして配置された状態から、上ケース部材１０の勘合用溝１５に嵌め込まれたパッキン４０と、下ケース部材１０の勘合部２５ａとの間に挟み込まれていき、勘合部２５ａのパッキン板６０に対向する部分が、パッキン板６０の２つの等辺に沿って切り欠かれた切欠部２４となっているため、パッキン板６０がパッキン４０と勘合部２５ａとに挟み込まれた状態においては、図６に示すように、パッキン４０からの圧力がパッキン板６０の底辺の全体に加わり、また、勘合部２５ａからの圧力がパッキン板６０の２つの等辺の全体に加わることになる。すなわち、パッキン板６０がパッキン４０と勘合部２５ａとに挟み込まれることでこれら上ケース部材１０と下ケース部材２０とによって上下から加わった圧力が、パッキン板６０の全周から加わることになり、それにより、パッキン板６０の孔部が図８に示したように一方向に広がることがなくなり、防水性が損なわれることが回避される。
【００４１】
なお、本形態においては、上ケース部材１０の外壁１３の所定幅だけ内側の領域に内壁１４が配置され、外壁１３と内壁１４との間に形成された勘合用溝１５に、パッキン４０、勘合部２５ａ及びパッキン板６０が嵌め込まれるものを例に挙げて説明したが、内壁１４を有さない構成であってもよい。その場合、天面板１１上において外壁１３の内側に、外壁１３に沿ってパッキン４０が嵌め込まれるとともに、パッキン板６０が配置されることになるため、パッキン板６０を固定するための部材を設ける必要がある。
【００４２】
また、本形態のパッキン板６０は、頂角が丸みを帯びた略二等辺三角形の形状を有するものであるが、パッキン板としては、一辺が上ケース部材１０に対向し、他の二辺が、勘合部２５ａに形成された切欠部２４の略Ｖ字型を構成する二辺に対向するようにして配置された状態から、上ケース部材１０の勘合用溝１５と、下ケース部材１０の勘合部２５ａとの間に挟み込まれていく三角形状のものであれば、二等辺三角形の形状に限らない。また、角部に丸みを帯びたものを含めて略三角形状と定義するが、丸みを帯びる角部が、上ケース部材１０に対向する辺の両端の角部であると、その角部に圧力が加わらない部分が生じる虞があるため、下ケース部材２０に対向する角部であることが好ましい。また、下ケース部材２０の勘合部２５ａに形成された切欠部２４においても、角部が丸みを帯びたものを含めて略Ｖ字型と定義するが、パッキン板６０の形状に応じたものであれば、角部に丸みを帯びていないものや、Ｖ字型のものでなくてもよい。
【符号の説明】
【００４３】
１    防水ケース
１０    上ケース部材
１１    天面板
１１ａ    凹部
１２，２６，６１    孔部
１３    外壁
１４    内壁
１５    勘合用溝
１６，２２    突起部
１７，２３    ケーブル用溝
１８    表面板
２０    下ケース部材
２１    底面板
２４    切欠部
２５    側壁
２５ａ    勘合部
３０    突起部
３１    貫通孔
４０    パッキン
５０    収容部
６０    パッキン板
７０    ケーブル
７１    キャップ
【図１】
2018120984.tif 000003
【図２】
2018120984.tif 000004
【図３】
2018120984.tif 000005
【図４】
2018120984.tif 000006
【図５】
2018120984.tif 000007
【図６】
2018120984.tif 000008
【図７】
2018120984.tif 000009
【図８】
2018120984.tif 000010